(57)【要約】      （修正有）【課題】迅速かつ正確に採尿と検尿を行える、競走馬等の採尿検査及び検尿等に使用する採尿瓶を提供する。【解決手段】全体がポリエチレン樹脂により形成され、上方部に内側に向けて折り曲げられた鍔２を有する漏斗状部３が設けられ、該漏斗状部３の垂直下方に１本の垂直管４が漏斗状部３と連通して設けられ、該垂直管４の下方部に２股状の分岐管５と６とが接続され、該分岐管５と６の下端部に２個の密封型貯溜タンク７と８とがそれぞれ連結され、これらの密封型貯溜タンク７と８との間に緩衝部材１３が介在され、各密封型貯溜タンク７と８の肩部にノズル９と１０とが設けられている。【選択図】図１
0003186728.tif 000002
【実用新案登録請求の範囲】
【請求項１】
全体がポリエチレン樹脂により形成され、上方部に内側に向けて折り曲げられた鍔（２）を有する漏斗状部（３）が設けられ、該漏斗状部（３）の垂直下方に１本の垂直管（４）が漏斗状部（３）と連通して設けられ、該垂直管（４）の下方部に２股状の分岐管（５）と（６）とが接続され、該分岐管（５）と（６）の下端部に２個の密封型貯溜タンク（７）と（８）とがそれぞれ連結され、これらの密封型貯溜タンク（７）と（８）との間に緩衝部材（１３）が介在され、各密封型貯溜タンク（７）と（８）の肩部にノズル（９）と（１０）とが設けられたことを特徴とする２検体採取用漏斗付採尿瓶。
【考案の詳細な説明】
【技術分野】
【０００１】
本考案は２検体採取用漏斗付採尿瓶に関し、特に競走馬等の尿の採取、検査等を１個の漏斗で２分割して行ない、漏斗を傾斜したり転倒させることなく垂直に保持して２検体を採取して採尿と検尿を行うことができる２検体採取用漏斗付採尿瓶に関する。
【背景技術】
【０００２】
本願出願人により提案された実用新案出願公告昭４９−２３６７１号公報に記載の採尿瓶では、採尿瓶全体がポリエチレン材によって製造され、上方部に内側に向けた鍔状周縁を有する漏斗状部が設けられ、瓶本体と一体に瓶本体の上方弯曲面の適所にノズルが開設され、また、前記漏斗状部の上端外側縁に内側方に折り曲げた鍔状縁が設けられて競走馬の尿のしぶきの飛散が防止され、これにより、特に競走馬等の採尿と検尿を簡易迅速に行なえるように構成されている。
【先行技術文献】
【特許文献】
【０００３】
【特許文献１】実公昭４９−２３６７１号公報
【考案の概要】
【考案が解決しようとする課題】
【０００４】
本考案は競走馬等の尿（液体）の採取、検査等を１個の漏斗で２分割して行ない、漏斗を傾斜することなく、垂直に立て安定して採尿、検尿を行うことができ、採尿と検査を能率よくかつ簡易迅速に行う２検体採取用漏斗付採尿瓶を提供しようとするものである。
【課題を解決するための手段】
【０００５】
上記課題解決のため本考案では、全体がポリエチレン樹脂により形成され、上方部に内側に向けて折り曲げられた鍔２を有する漏斗状部３が設けられ、該漏斗状部３の垂直下方に１本の垂直管４が漏斗状部３と連通して設けられ、該垂直管４の下方部に２股状の分岐管５と６とが接続され、該分岐管５と６の下端部に２個の密封型貯溜タンク７と８とがそれぞれ連結され、これらの密封型貯溜タンク７と８との間に緩衝部材１３が介在され、各密封型貯溜タンク７と８の肩部にノズル９と１０とが設けられている。
【考案の効果】
【０００６】
本考案は前記のように構成されているから、漏斗状の採尿（液体）導入口の鍔部より漏斗状部３の内方に採尿される競走馬等のし尿（液体）は垂直管４よりしぶきとなって漏斗の開口部に向かって逆流することなく、垂直管４に流入する。同時に垂直管４に垂直方向に設けた分岐管５と６に分れて入るために一方の分岐管より採取したし尿（液体）と他方の分岐管より採取した液体を混合・調整する場合、間隔保持板機能を備えた緩衝部材１３の取り除いた状態でＡ・Ｂの瓶本体を互いに傾斜することにより、簡単迅速に尿（液体）を移動させ、液体混合作業能率が著しく増進する等の効果がある。
【図面の簡単な説明】
【０００７】
【図１】一部を切欠して示す本考案の実施の形態例の正面図。
【図２】一部を切欠して示す本考案の実施の形態例の背面図。
【図３】本考案の実施の形態例の左側面図。
【図４】本考案の実施の形態例の上面図。
【図５】本考案の実施の形態例の底面図。
【図６】一側面から見た本考案の実施の形態例の２股管部の側面図。
【図７】他側面から見た本考案の実施の形態例の２股管部の側面図。
【考案を実施するための形態】
【０００８】
以下、本考案の詳細を図示実施の形態例に基いて説明する。漏斗状部３の縦方向及び横方向に補強用凹凸条３ａと３ｂを交叉して設け、採尿瓶は漏斗状部３の下方部に集中し、液体は２本の分岐管５と６にて交互に又は一方的に２個の密封型貯溜タンク７と８に充填される。２個の密封型貯溜タンク７と８に充填された液体は２個の密封型貯溜タンク７と８の周囲にそれぞれ刻設された採尿量目盛７ａと８ａ、８ａ´にて尿の容量が読み取られるようになっている。２個の密封型貯溜タンク７又は８のノズル９又は１０よりキャップ１１又は１２を取外して開口することにより２個の密封型貯溜タンク７と８に収容した液体を個別に外部に取り出すことができる。
【０００９】
２個の密封型貯溜タンク７と８の一方又は双方に収容した液体はそれぞれ密封型貯溜タンクＡと密封型貯溜タンクＢとに分離格納してあるために液体の管理保存に便利であり液体の種類を仕分けすることができて、混合することはない。
【００１０】
１はポリエチレン樹脂製で漏斗状部３を備える採尿瓶全体を示す。２は採尿瓶上方の漏斗状部３の上端開口部に形成した鍔、３ａ及び３ｂは漏斗状部３の周面に形成した補強用凹凸条、４は漏斗状採尿瓶１の中央垂直下方部に連設した垂直管、５及び６は、２股状に分岐された分岐管であって、該各分岐管の上端部は垂直管４の下端部に各別個に接続されている。分岐管５と分岐管６の内径は密封型貯溜タンク７と８にそれぞれ連結開口されており、各密封型貯溜タンク７と８の外周面には採尿量測定用の採尿量目盛り７ａと８ａ、８ａ’がそれぞれ目盛られており、各密封型貯溜タンク７と８に収容された尿（液体）の量を測定した混合比率を検出する。
【００１１】
各密封型貯溜タンク７と８の下部外周には尿（液体）導入口部２を有する漏斗状部３の基部の貫通孔の内径を３０ｍｍとした場合、一方の密封型貯溜タンク７及び他方の密封型貯溜タンク８の分岐管５と６の内径の和よりも狭口に形成され、漏斗状部３を流下する液体が分岐管５と６を通過する際液が漏斗状部３に逆流しないように構成されている。
【００１２】
各分岐管５と６の下端部に２個の密封型貯溜タンク７と８がそれぞれ連結開口され、これらの密封型貯溜タンク７と８の間に緩衝作用と間隔保持用作用を行う緩衝部材１３を取付け取外し可に介在固定させてあり、各密封型貯溜タンク７と８の肩部にノズル９と１０を開設する。１１及び１２はノズル９と１０にそれぞれ取付けて取外しできるように装着したキャップである。
【００１３】
漏斗状部３の大きさを例示すると、漏斗状部３の上端開口部の内径を１６０ｍｍとし、漏斗状部３の下端縮小部の内径を３０ｍｍとし、垂直管４の内径を２１ｍｍとし、分岐管５の左側管の内径を２０ｍｍ、右側管の内径を１５ｍｍとすれば垂直管４に流下した尿（液体）は採尿瓶１内に溢れ出ることはない。分岐管５と分岐管６の内径は密封型貯溜タンク７と８にそれぞれ連結開口されており、各密封型貯溜タンク７と８の周面には採尿量目盛線７ａと８ａ、８ａ’がそれぞれ目盛られており、各密封型貯溜タンク７と８に収容された尿（液体）の量を測定した混合比率を検知する。各密封型貯溜タンク７と８の下部外周には鍔２を有する漏斗状部３の基部の貫通孔の内径を３０ｍｍとした場合、一方の密封型貯溜タンク７及び他方の密封型貯溜タンク８の分岐管５と６の内径の和よりも狭口に形成され、漏斗状部３を流下する液体が分岐管５と６を通過する際液が漏斗状部３に逆流しないように構成されている。
【００１４】
すなわち図４に示すように一方の密封型貯溜タンク７に「Ａ」の記号を、又他方の密封型貯溜タンク８に「Ｂ」の記号を形成して置き、流動する液体をそれぞれ「Ａ」側と「Ｂ」側にそれぞれ区劃して収容する。
【００１５】
いま２個の密封型貯溜タンク７と８に定量の尿（液体）が充填されたとすると、密封型貯溜タンク７と８の底部は水平面上に水平に安定して載置され、重心は密封型貯溜タンク７、８の中心部に移動して停止する。緩衝部材１３は両方の密封型貯溜タンク７と８の中間にあって、密封型貯溜タンク７と８を安定させて密封型貯溜タンク７と８に係止し、密封型貯溜タンク７と８の重心を固定する。従って密封型貯溜タンク７と８は垂直状態に安定される。
【００１６】
次に図５及び図６、図７に示す密封型貯溜タンク７と８に所定量の液体が充填される。超音波ウエルダー法を使用して封緘することにより、ノズル９、１０と封緘部１４、１５から液体を取り出さない限り液体が密封型貯溜タンク７と８より流出することはない。
【符号の説明】
【００１７】
１  採尿瓶
２  鍔
３  漏斗状部
３ａ，４ａ  補強用凹凸条
４  垂直管
５、６  分岐管
７、８  密封型貯溜タンク
７ａ，８ａ，８ａ’  採尿量目盛
９、１０  ノズル
１１、１２  キャップ
１３  緩衝部材
１４、１５  封緘部
【図１】
0003186728.tif 000003
【図２】
0003186728.tif 000004
【図３】
0003186728.tif 000005
【図４】
0003186728.tif 000006
【図５】
0003186728.tif 000007
【図６】
0003186728.tif 000008
【図７】
0003186728.tif 000009